(57)【要約】      （修正有）【課題】商品を収納して輸送する際にその商品が移動したり転倒したりすることを防止する商品輸送用箱体を提供する。【解決手段】周囲全面を囲む側板１１〜１４と底面を閉じる底板１５とを備えた商品輸送用箱体１０において、底板１５の上面の全面又は一部に両面接着テープ２０を貼付し、そこに収納された商品の底面が、両面接着テープ２０の接着剤の粘着力によって保持されるようにする。【選択図】図１
0003175909.tif 000002
【実用新案登録請求の範囲】
【請求項１】
周囲全面を囲む側板と底面を閉じる底板とを備えた商品輸送用箱体において、前記底板の上面の全面又は一部に粘着部分を設けたことを特徴とする商品輸送用箱体。
【請求項２】
請求項１に記載の商品輸送用箱体において、
前記粘着部分は、前記底板の上面に接着された両面接着テープで形成されていることを特徴とする商品輸送用箱体。
【請求項３】
請求項１に記載の商品輸送用箱体において、
前記粘着部分は、前記底板に台紙部分が固着された片面接着テープで形成されていることを特徴とする商品輸送用箱体。
【請求項４】
請求項１に記載の商品輸送用箱体において、
前記粘着部分は、前記底板に粘着剤を塗布することで形成されていることを特徴とする商品輸送用箱体。
【考案の詳細な説明】
【技術分野】
【０００１】
本考案は、シャンプーやリンスその他の商品を車輌によって輸送するために使用するバケット又は折り畳みコンテナ等の商品輸送用箱体に関するものである。
【背景技術】
【０００２】
例えば、シャンプー、リンス、液体洗剤等の家庭用商品は、工場で生産されてから段ボール箱で梱包され、物流センタに納品される。
【０００３】
物流センタでは、ドラッグストア、コンビニエンスストア等の店舗から届く注文に基づいて、それらの梱包を開いて指定商品を取り出し、５０リットル又は３５リットル程度の容量のプラスチック製のバケット又は折り畳みコンテナに、指定本数又は指定個数を収納する。バケット又は折り畳みコンテナは、商品によって絶えず満杯になることが望ましいが、すべてのバケット又は折り畳みコンテナがそのようになることはなく、場合によっては、容量の１０〜２０％程度しか収納されないこともあり得る。
【０００４】
トラックの運転手は、商品が収納されたバケット又は折り畳みコンテナをパレット（荷役台）に搭載して、又は個々にフォークリフト又は手によって、荷台に積み込み、指定された店舗に輸送し、そこで荷下ろしをして、納入することになる。
【０００５】
ここで、バケット又は折り畳みコンテナへの商品の収納比率が少ないときは、図３に示すように、その商品３０が例えばバケットの底板１５の面で転倒することがある。このとき、シャンプー、リンス、液体洗剤等の液物では、キャップの締め具合が不十分な場合は液漏れが発生し、他の商品を汚したり、返品対象として品質にクレームがつく場合がある。また、バケット又は折り畳みコンテナに商品を満杯に収納した場合は、トラックの輸送中の揺れにより互いに擦れ合って、商品ラベルの表面印刷部分や箱商品の表面印刷部分に共ズレの損傷が発生し、これも返品や品質クレームの対象に至る場合がある。
【０００６】
一方、顧客であるドラッグストアやコンビニエンスストア等の店舗では、輸送されてきた注文の商品がバケットあるいは折り畳みコンテナ内に雑然と入っている場合には、違和感を生じ、商品が整列していることを望む。このように、バケット又は折り畳みコンテナへの商品の収納比率が少ない場合は、転倒による問題の他に、見栄の劣化によって商品価値の低下を招く場合もあり、その防止が要望される。
【考案の概要】
【考案が解決しようとする課題】
【０００７】
そこで、上記のような品質クレームや顧客の印象悪化を防ぐために、仕切板を使用して商品を整列させたり、緩衝材により商品同士の共ズレを防止することが一部行われているが、この手法を採用する際には、運転手がその仕切板や緩衝材を持ち帰らなければならない手間や、紛失によるコストアップ等の問題があり、実際には、運転手が大変苦労しているのが現状である。
【０００８】
本考案の目的は、商品の移動を防止し整列状態で内部に保持収納できるようにして、上記した問題を一切解決したバケットや折り畳みコンテナ等の商品輸送用箱体を提供することである。
【課題を解決するための手段】
【０００９】
上記目的を達成するために、請求項１にかかる考案の商品輸送用箱体は、周囲全面を囲む側板と底面を閉じる底板とを備えた商品輸送用箱体において、前記底板の上面の全面又は一部に粘着部分を設けたことを特徴とする。
請求項２にかかる考案は、請求項１に記載の商品輸送用箱体において、前記粘着部分は、前記底板の上面に接着された両面接着テープで形成されていることを特徴とする。
請求項３にかかる考案は、請求項１に記載の商品輸送用箱体において、前記粘着部分は、前記底板に台紙部分が固着された片面接着テープで形成されていることを特徴とする。
請求項４にかかる考案は、請求項１に記載の商品輸送用箱体において、前記粘着部分は、前記底板に粘着剤を塗布することで形成されていることを特徴とする
【考案の効果】
【００１０】
本考案によれば、バケットや折り畳みコンテナ等の商品輸送用箱体の底面に粘着部分を設けたので、その粘着部分に商品を乗せるだけでその商品の底面が粘着力で保持され、商品の転倒や共ズレ等を回避することができ、商品に品質劣化が生じることが防止でき、また収納状態の見栄えも良好にできるという優れた利点を発揮することができる。
【図面の簡単な説明】
【００１１】
【図１】本考案の１つの実施例のバケットの上面斜視図である。
【図２】本考案の別の実施例のバケットの上面斜視図である。
【図３】バケット内での商品転倒の説明図である。
【考案を実施するための形態】
【００１２】
図１に本考案の１つの実施例のバケット１０を示す。このバケット１０は、周囲全面を囲む４枚の側板１１〜１４と底面を閉じる底板１５とから構成され、ポリプロピレン又は高密度ポリプロピレンの射出成形で一体的に又は組み合わせにより形成されている。そして、その底板１５の上面にはその全面に両面接着テープ２０が貼付されている。
【００１３】
この両面接着テープ２０の底板１５に直接貼付する裏面側の接着剤には、その底板１５の材質に強力に接着する性質を持たせることが好ましい。また、その両面接着テープ２０の上面側の接着剤には、そこに収納する商品が移動しない程度の粘着性をもち、当該商品の再剥離が可能で、かつ、バケット１０を洗浄する際に使用する洗剤に耐えることのできる性質を持たせることが必要である。さらに、両面接着テープ２０の上面側の接着剤には、バケット１０に収納する商品に薄いポリエチレンフィルムにグラビア印刷又はフレキソ印刷したものもあるので、印刷インキを剥離することがない性質も持たせることが必要がある。
【００１４】
この両面接着テープ２０は、図１に示すようにバケット１０の底面１５の全面に貼付する他に、底面１５の一部に貼付してもよい。底面１５の一部に貼付した例として、図２に示すように、底面１５の内隅に沿って１周にわたって貼付してもよい。また、所定間隔で列状に並べて底面１５に貼付してもよい。また、両面接着テープ２０の幅は、例えばシャンプーやリンス等の商品を収納する場合では、２０ｃｍ程度が好適と思われるが、商品の底面の大きさより狭い幅であってもよい。
【００１５】
この両面接着テープ２０は、その表面側の接着剤の粘着力が劣化したときは、底板１５から剥離して除去し、新たな両面接着テープ２０を貼付してもよいが、貼付済みの両面接着テープ２０の上面に新たな両面接着テープを貼付することで、再生することもできる。
【００１６】
なお、以上ではバケット１０の底面１５に両面接着テープ２０を貼付して取り付ける例について説明したが、この両面接着テープ２０に代えて、片面接着テープを使用してもよい。この場合は、片面接着テープの台紙側をバケット１０の底面にねじ等で固着し、接着面が上面になるようにすればよい。このときねじ等による固着部分は、収納する商品に当たることがないように隅の部分とすればよい。片面接着テープの取り替えは、ねじ等の取り外しで行うことができる。
【００１７】
また、両面接着テープ２０に代えて、粘着剤を底面１５に直接塗布してもよい。この粘着剤塗布では、その粘着剤が摩耗したり粘着力が劣化した場合は、除去してから再塗装する他に、以前に塗布していた粘着剤の上から新たな粘着剤を上塗りして再生することもできる。
【００１８】
また、以上では、本考案をバケット１０に適用する場合について説明したが、折り畳みトレイその他の商品輸送用箱に適用できることはもちろんである。
【符号の説明】
【００１９】
１０：バケット、１１〜１４：側板、１５：底板
２０：両面接着テープ
【図１】
0003175909.tif 000003
【図２】
0003175909.tif 000004
【図３】
0003175909.tif 000005